(57)【要約】  本発明は、つぎのようなオイルフィルタシステム（１０）に関するものである。すなわち、このオイルフィルタシステム（１０）は、フィルタエレメント（１８）のための収容スペース（１６）を有するハウジングを備えている。このフィルタエレメント（１８）はハウジングに挿入可能であり、そして、このフィルタエレメント（１８）を半径方向にオイルが貫流可能である。また、このオイルフィルタシステム（１０）は、フィルタエレメント（１８）が挿入されているときにフィルタエレメント（１８）を支持する支持管（４２）と、ネジ（１５）でもってハウジング（１２）にねじ込み可能なキャップ（１４）とをさらに備えている。  本発明は、キャップ（１４）をハウジングにねじ込むとき、または、ハウジングから取り外すときに、フィルタエレメント（１８）を一緒に回すために、キャップが連行用のリブ（４４）を備えていることを特徴としている。【選択図】  図１
2009506882.tif 000002
【特許請求の範囲】
【請求項１】
フィルタエレメント（１８）のための収容スペース（１６）を有するハウジング（１２）を備え、
このフィルタエレメントが上記ハウジング（１２）に挿入可能であって、このフィルタエレメントを半径方向にオイルが貫流可能であり、
上記フィルタエレメント（１８）が挿入されているときにこのフィルタエレメント（１８）を支持する支持管（４２）と、ネジ（１５）でもって上記ハウジング（１２）にねじ込み可能なキャップ（１４）とをさらに備えているオイルフィルタシステムにおいて、
上記キャップ（１４）を上記ハウジング（１２）にねじ込むとき、または、上記ハウジング（１２）から取り外すときに、上記フィルタエレメント（１８）を一緒に回すために、上記キャップが連行用のリブ（４４）を備えていることを特徴とするオイルフィルタシステム。
【請求項２】
上記フィルタエレメント（１８）の交換時には上記支持管が上記ハウジング内に残るように、上記支持管（４２）が上記ハウジング（１２）に固定されていることを特徴とする、請求項１に記載のオイルフィルタシステム（１０）。
【請求項３】
上記フィルタエレメント（１８）が挿入されかつ上記キャップ（１４）がねじ込まれているときに、上記フィルタエレメント（１８）を上記キャップ（１４）に向かって押すスプリングエレメント（３８）が設けられていることを特徴とする、請求項１または２に記載のオイルフィルタシステム（１０）。
【請求項４】
上記連行用リブ（４４）が、上記キャップの内側における半径方向の外側寄りの領域に設けられかつ半径方向における内側に突出する連行部分（５０）をそれぞれ１つずつ有し、
上記フィルタエレメント（１８）が挿入されているときには、上記連行部分が、このフィルタエレメント（１８）に設けられた切り欠き（４６）に係合することを特徴とする、請求項１、２または３に記載のオイルフィルタシステム（１０）。
【請求項５】
半径方向における内側に突出するセンタリング面（６２）を上記キャップの内側における半径方向の外側寄りの領域に有するセンタリング用のリブ（６０）を備え、
上記センタリング用のリブが、上記キャップをかぶせることおよび／またはねじ込むことが行われたときに、上記フィルタエレメント（１８）のうちの上記キャップ（１４）側の面（４８）を半径方向にセンタリングすることを特徴とする、請求項１〜４のうちのいずれか一項に記載のオイルフィルタシステム（１０）。
【請求項６】
上記センタリング用リブ（６０）が、軸方向における下方に突出する接触面（６４）を有し、
上記キャップ(１４)をかぶせることおよび／またはねじ込むことが行われたときに、上記接触面が、上記フィルタエレメント（１８）のうちの上記キャップ側の面（４８）を押すことを特徴とする、請求項５に記載のオイルフィルタシステム（１０）。
【請求項７】
上記センタリング用リブの上記センタリング面（６２）と上記接触面（６４）とが、互いに隣接して設けられていることを特徴とする、請求項５または６に記載のオイルフィルタシステム（１０）。
【請求項８】
上記連行用リブ（４４）が、上記センタリング用リブ（６０）を構成し、そして、上記センタリング面（６２）および／または上記接触面（６４）をそれぞれ１つずつ有していることを特徴とする、請求項５、６または７に記載のオイルフィルタシステム（１０）。
【請求項９】
上記キャップ（１４）がかぶせられているときには、上記連行用リブ（４４）が、上記センタリング用リブ（６０）よりも、上記収容スペース（１６）の底部を向いている軸方向（３８）にさらに突出することを特徴とする、請求項５、６、７または８に記載のオイルフィルタシステム（１０）。
【請求項１０】
上記支持管（４２）であるか、あるいは、上記支持管または上記ハウジング（１２）に案内される部分（３４）であるかが、上記フィルタエレメント（１８）のうちの上記キャップとは反対側にある面（４３）と接触するための接触面（４０）を有していることを特徴とする、請求項１〜９のうちのいずれか一項に記載のオイルフィルタシステム（１０）。
【請求項１１】
請求項１２〜１５のうちのいずれか一項に記載のフィルタエレメント（１８）を備えている、請求項１〜１０のうちのいずれか一項に記載のオイルフィルタシステム（１０）。
【請求項１２】
上記オイルフィルタシステムの上記キャップ（１４）に設けられた連行用リブ（４４）を受ける切り欠き（４６）を備え、
この際、上記切り欠き（４６）の幅が、上記連行用リブ（４４）の幅に等しいか、または、それよりもわずかに広く構成されている、請求項１〜１１のうちのいずれか一項に記載のオイルフィルタシステム（１０）に用いるフィルタエレメント（１８）。
【請求項１３】
切り欠き（４６）が、半径方向に突出する２つずつの突出部（５４）によってそれぞれ構成されていることを特徴とする、請求項１２に記載のフィルタエレメント（１８）。
【請求項１４】
軸方向に突出する導入案内部（５６）が上記切り欠き（４６）の領域に設けられ、
上記導入案内部が、上記切り欠き（４６）の軸方向における延長上に位置する導入案内面（５８）を有することによって、上記キャップ（１４）をねじ込むときに、連行用リブ（４４）がこれに対応している上記切り欠き（４６）に上記導入案内面（５８）によって案内されることを特徴とする、請求項１２または１３に記載のフィルタエレメント（１８）。
【請求項１５】
上記突出部（５４）および／または上記導入案内部（５６）が、上記フィルタエレメント（１８）の端板（４８）によって構成されていることを特徴とする、請求項１２〜１４のうちのいずれか一項に記載のフィルタエレメント（１８）。
【発明の詳細な説明】
【技術分野】
【０００１】
本発明は、フィルタエレメントのための収容スペースを有するハウジングを備え、このフィルタエレメントが上記ハウジングに挿入可能であって、このフィルタエレメントを半径方向にオイルが貫流可能であり、上記フィルタエレメントが挿入されているときにこのフィルタエレメントを支持する支持管と、ネジでもって上記ハウジングにねじ込み可能なキャップとをさらに備えているオイルフィルタシステムに関するものである。
【背景技術】
【０００２】
この種のオイルフィルタシステムとしては、さまざまな方法によるものが公知である。
【０００３】
例えば、ＤＥ  １９８  ５９  ９６０  Ａ１からは、フィルタエレメントの交換時に、このフィルタエレメントをキャップとともに収容スペースから取り出すことが公知である。
【０００４】
実際の場合には、特にオイルの温度が高いために、フィルタエレメントを比較的長期間にわたって挿入していたときには、ハウジングに対して、および／または、その他のハウジングおよび／または支持管に支持される部品に対して、フィルタエレメントのこびり付きが生じる可能性があることが分かっている。このようになると、フィルタエレメントの交換時にハウジングからフィルタエレメントを取り出すのが、きわめて困難になる。
【発明の開示】
【発明が解決しようとする課題】
【０００５】
本発明の課題は、冒頭に挙げた種類のオイルフィルタシステムを改良して、フィルタエレメントの取り出しおよび／または交換を簡単に行えるようにすることである。特に、フィルタエレメントが支持管および／またはハウジングに固着している場合でも、フィルタエレメントの交換ができるようにすることである。
【課題を解決するための手段】
【０００６】
この課題は、冒頭に挙げた種類のオイルフィルタシステムにおいて、つぎのようにして解決される。すなわち、キャップをハウジングにねじ込むとき、および、取り外すときに、フィルタエレメントを回転させる連行用のリブをキャップに設けることである。これによって、キャップをねじ込むとき、および、取り外すときに、ハウジングに対するフィルタエレメントの相対的な運動が得られる。そして、ハウジングまたはハウジング側の部品にこびりついたフィルタエレメントが、分離される。
【０００７】
この場合、フィルタエレメントの交換時には支持管がハウジング内に残るように、支持管をハウジングに固定するのが有利である。このためには、支持管をハウジングに、特には、ラッチ固定、ネジ固定および／または差し込み式固定および／または分離不能に、固定することができる。ラッチ固定の場合には、相応のラッチ手段を設けなければならない。ネジ固定の場合には、相応のネジおよび／またはボルトを設けなければならない。差し込み式固定の場合には、まず、支持管をその長手軸に沿って収容スペースに挿入し、つぎに、この長手軸を中心にしてねじって、このために設けられたほぼ鍵穴状の後隔離部分によって固定する。
【０００８】
フレーム状の支持管には、フィルタエレメントの上側および下側の端部がある領域に取り付け面を設け、この取り付け面にフィルタエレメントを密着して取り付ければ有利である。特に、この取り付け面には、支持管に対するフィルタエレメントの固着が生じる可能性がある。
【０００９】
本発明の１つの発展形態として、フィルタエレメントが挿入されかつキャップがねじ込まれているときに、このフィルタエレメントをキャップに向かって押すスプリングエレメントを設けることが考えられる。このようなスプリングエレメントによって、キャップを取り外すときに、フィルタエレメントを少なくとも限定された範囲で持ち上げて、フィルタエレメントを収容スペースから容易に取り出せるようにすることができる。この場合、フィルタエレメントが挿入されているときには、収容スペースの底部にあるドレーン流路を閉じ、そして、フィルタエレメントを取り出すときには、ドレーン流路を開くことが考えられる。この場合、スプリングエレメントは、ドレーン流路を開くのを助ける。
【００１０】
本発明の別の１つの発展形態として、連行用リブが、キャップの内側における半径方向の外側寄りの領域に設けられかつ半径方向における内側に突出する連行部分をそれぞれ１つずつ有することができる。そして、フィルタエレメントが挿入されているときには、この連行部分が、このフィルタエレメントに設けられた切り欠きに係合する。この場合、連行部分は、ほぼ軸方向に延びるエッジを有するか、あるいは、曲がった形状にすることができる。特に、複数の連行用リブがあって、これらの連行部分が、互いに等間隔でキャップに設けられているのが有利である。このようにすれば、連行用リブのそれぞれが、フィルタエレメントにこれと対応して設けられた切り欠きに係合する。
【００１１】
本発明のもう１つの実施形態として、半径方向における内側に突出するセンタリング面をキャップの内側における半径方向の外側寄りの領域に有するセンタリング用リブを備えている。そして、このセンタリング用リブが、キャップをかぶせることおよび／またはねじ込むことが行われたときに、フィルタエレメントのうちのキャップ側の面を半径方向にセンタリングする。これによって、フィルタエレメントのキャップ側の部分は、フィルタエレメントをねじ込むときに、その動作ポジションに達する。この場合、センタリング用リブが連行用リブとは別個に形成されているのが有利である。このことには、つぎのような利点がある。すなわち、キャップをねじ込むときに、連行用リブが、フィルタエレメントに向かって軸方向に作用したり、場合によっては、フィルタエレメントの機能能力を損ねたりすることがない。
【００１２】
本発明のさらに１つの発展形態では、センタリング用リブが、軸方向における下方に突出する接触面を有し、キャップをかぶせることおよび／またはねじ込むことが行われたときに、この接触面が、フィルタエレメントのうちのキャップ側の面を押す。これによって、キャップをねじ込むときに、フィルタエレメントが、軸方向における下方に向かって的を絞って動かされて、このフィルタエレメントの動作ポジションに達する。
【００１３】
本発明のもう１つの実施形態では、センタリング用リブのセンタリング面と接触面とが、互いに隣接して設けられている。有利な方法として、これら２つの部分を互いに垂直になるように位置させる。この際、支持管の中心長手軸に対しては、接触面は垂直に、そして、センタリング面は平行に位置させる。
【００１４】
本発明においては、連行用リブとセンタリング用リブとをただ１つの相応な形状のリブで形成することもできる。これによって、リブの合計個数を最小限に抑えることができる。
【００１５】
本発明ではさらに、連行用リブが、センタリング用リブよりも、収容スペースの底部を向いている軸方向にさらに突出していることができる。このことには、つぎのような利点がある。すなわち、センタリング用リブがフィルタエレメントに向かって働く前に、まず、連行用リブが、この連行用リブのためにフィルタエレメントに設けられた切り欠きに係合することができる。
【００１６】
本発明のさらに１つの発展形態として、支持管であるか、あるいは、支持管またはハウジングに案内される部品であるかが、フィルタエレメントのうちのキャップとは反対側にある面と接触するための接触面を有することができる。このような接触面が設けられている場合、接触面に対するフィルタエレメントの望ましからぬこびりつきまたは固着は、キャップを取り外すときに、フィルタエレメントが一緒に回転することによって、解決される。この場合、接触面は、支持管の中心長手軸に対してほぼ垂直に位置している。
【００１７】
本発明においては、オイルフィルタシステムがその一部としてフィルタエレメントを含むものであることもできる。
【００１８】
本発明によるオイルフィルタシステムのためのこのようなフィルタエレメントは、オイルフィルタシステムのキャップに設けられた連行用リブを受ける切り欠きを備えている。この際、切り欠きの幅が、連行用リブの幅に等しいか、または、それよりもわずかに広く構成されている。これによって、連行用リブが切り欠きに係合することができるようになる。
【００１９】
この場合、切り欠きが、半径方向に突出する２つずつの突出部によってそれぞれ構成されることが考えられる。切り欠きをこれらの突出部によって形成すれば、切り欠きを設けたことが、フィルタエレメントのフィルタ機能に妨害的な作用を及ぼすことがない。
【００２０】
この場合、軸方向に突出する導入案内部を切り欠きの領域に設けることが考えられる。この導入案内部が、切り欠きの軸方向における延長上に位置する導入案内面を有している。この場合、キャップをねじ込むときに、連行用リブがこれに対応している切り欠きに導入案内面によって案内される。このようにして、このような導入案内部が、連行用リブの導入手段になる。キャップをねじ込むときに、連行用リブがこれに対応している切り欠きにそれぞれ到達する。特に、連行用リブがセンタリング用リブよりも軸方向にさらに突出している場合には、連行用リブだけが導入案内部と作用的に結合し、これによって、連行用リブが切り欠きに到達することができる。
【００２１】
本発明のもう１つの好ましい実施形態においては、上記突出部および／または導入案内部が、フィルタエレメントの端板によって構成されている。このことには、フィルタ材料本体が損傷しないで済むという利点がある。なぜならば、端板は特にはプラスチック製とすることができて、この端板にだけ変更が加えられればよいからである。
【発明を実施するための最良の形態】
【００２２】
本発明のその他の詳細や有利な実施形態を、つぎの説明において、記載する。つぎの説明では、図面に示す実施例をさらに詳しく説明している。
【００２３】
図１に示すオイルフィルタシステム１０は、ハウジング１２と、ハウジングキャップ１４とを備えている。このハウジングキャップ１４は、ハウジング１２にかぶせることができ、ネジ１５でもってハウジング１２にねじ込むことができる。ハウジング１２は収容スペース１６を有し、この収容スペース１６には、半径方向外側から内側に貫流可能なフィルタエレメント１８が配置されている。
【００２４】
収容スペース１６の底部２０には、未処理オイル口２２が設けられ、フィルタ濾過されるべき未処理オイルは、この未処理オイル口２２を通って、収容スペース１６に流入する。フィルタ濾過済みのオイルは、クリーンオイル流路２３から排出される。また、底部２０には、ドレーン流路２４が設けられている。そして、ハウジングキャップ１４を開くとき、または、フィルタエレメント１８を取り出すときには、収容スペース１６にあるオイルをこのドレーン流路から排出することができる。この場合、ドレーン流路２４は、ドレーン口２８を備えている。ハウジングが閉じられ、フィルタエレメント１８が挿入されて、フィルタシステムが図１に示す動作ポジションにあるときには、ドレーン口２８は、開閉手段３０によって、閉じられている。
【００２５】
プラグ状の開閉手段３０は、それ自体は、管接続用管３２に対して軸方向に変位可能なドレーンプレート３４に取り付けられている。ドレーンプレート３４は、中央の貫通口４２を有し、この貫通口４２において管接続用管３２にはめ込まれている。この場合、フィルタシステムの中心長手軸３６に対して垂直に位置するドレーンプレートは、管接続用管３２に対して軸方向に変位することができる。この場合、プラグ状の開閉手段３０は、ドレーン口２８に挿入され、ドレーン流路２６は、ドレーン口２８の領域では、中心長手軸３６に対して平行に位置している。これによって、ドレーン流路２４における開閉手段３０の挿入の深さに依存することなく、ドレーン流路２４の確実な密閉を得ることができる。
【００２６】
ドレーンプレート３４は、圧縮バネ３８によって、上方のハウジングキャップ１４の方向に押される。圧縮バネ３８は、一方をドレーンプレート３４に、そして、他方を、底部２０に設けられた中間チューブ４０に支持される。この場合、中間チューブ４０は金属材料から作られるのが有利であり、この際、ハウジング１２をプラスチック製にすることができる。
【００２７】
ドレーンプレート３４にバネが作用するので、ハウジングキャップ１４を取り外すときには、ドレーンプレートは軸方向上方に動かされる。これによって、開閉手段３０はドレーン口２８を開放し、収容スペース１６にあるオイルをドレーン流路２４から排出することができる。この場合、圧縮バネ３８は、つぎのようなものとするのが有利である。すなわち、ハウジングキャップ１４を取り外すときには、ドレーンプレート３４が持ち上げられるだけでなく、フィルタエレメント１８も軸方向上方に動かされるようにするものである。
【００２８】
ドレーンプレート３４は、ハウジング側の管接続用管３２によって案内されるように設けられ、このドレーンプレート３４のうちのフィルタエレメント１８側である上面は、フィルタエレメント１８の下部の端面４３を載置させる接触面４０を有している。
【００２９】
ハウジング１２または管接続用管３２には、軸方向にオイルを通過させる支持管４２が設けられている。フィルタエレメント１８は、キャップ１４が開いているときには、支持管４２に軸方向にはめ込まれることができる。収容スペース１６からフィルタエレメント１８を取り出すときには、この支持管は収容スペース１６に残る。
【００３０】
支持管４２の上端領域には、逃がし弁６６が配置され、限界圧力を超過したときには、この逃がし弁６６が開く。
【００３１】
フィルタ濾過されるオイルの温度が高いことと、フィルタエレメント１８の動作時間が長いこととのために、フィルタエレメント１８が上記接触面４０および／または支持管４２にこびりつく場合がある。このように固着したフィルタエレメント１８を接触面４０または支持管４２から分離できるようにするために、キャップ１４の内側に連行用のリブ４４を設けている。この場合、連行用のリブ４４は、フィルタエレメント１８に設けられた切り欠き４６に係合する。この切り欠き４６は、特に図４に分かりやすく記載されている。この場合、切り欠き４６は、フィルタエレメントの上側の端板４８に設けられている。キャップ１４をねじると、連行用リブ４４と切り欠き４６とによって、フィルタエレメント１８も一緒にねじられることができる。これによって、フィルタエレメント１８を接触面４０および戻り管４２から分離することができる。
【００３２】
図示の実施形態の場合には、合計５つの連行用リブ４４が設けられ、これらの連行用リブ４４は、図３に示す５つの切り欠き４６に係合する。この場合、連行用リブ４４は、キャップの内側における半径方向の外側寄りの領域に設けられ、そして、半径方向の内側に突出する連行部分５０をそれぞれ１つずつ有している。図１および図２においては、連行部分５０の半径方向における内側が、中心長手軸３６に平行なエッジ５２によって、限定されている。連行部分５０の軸方向は、中心長手軸３６に垂直なエッジ５３によって、限定されている。
【００３３】
この場合、フィルタエレメント側の切り欠き４６の幅は、連行用リブ４４のそれぞれの幅よりもわずかに広い。これによって、連行用リブ４４を切り欠き４６に差し込むことができる。
【００３４】
特に図３に示すように、個々の切り欠き４６は、半径方向に突出する２つの突出部５４によって、それぞれ形成されている。図３においては、突出部５４は上から見ると楔形の輪郭を有しているが、これらの突出部は、上側の端板４８に形成され、フィルタエレメント１８のフィルタ材料本体を超えて半径方向に突出している。これには、つぎのような利点がある。すなわち、突出部５４によって、または、切り欠き４６に係合する連行用リブ４４によって、フィルタ材料本体が損傷することがない。
【００３５】
また、図２〜図５からさらに明らかなように、上側の端板４８のうちのキャップ１４側である上面には、軸方向に突出する導入案内部５６が、切り欠き４６があるそれぞれの領域において、設けられている。この導入案内部５６は、側面から見ると、特に図４および図５に示されているように、楔形に形成されている。導入案内部のそれぞれは、これと対応する切り欠き４６の軸方向における延長位置にある導入案内面５８を１つずつ有している。この導入案内面は、連行用のリブ４４のそれぞれを切り欠き４６に案内する補助手段として用いられる。
【００３６】
フィルタエレメントの交換時には、まず、このフィルタエレメント１８を収容スペース１６に挿入する。その後、キャップ１４をネジ１５でもってハウジング１２にねじ込む。キャップ１４をねじ込むときには、連行用リブ４４は、まず、導入案内部５６の導入案内面５８に突き当たる。これによって、フィルタエレメント１８は、キャップ１４に連行されて、長手軸３６を中心としてねじられる。キャップ１４をさらにねじ込むと、連行用リブ４４が切り欠き４６内を軸方向にスライドする。
【００３７】
キャップ１４の内側には、連行用リブ４４の他に、センタリング用のリブ６０も設けられている。センタリング用リブ６０を２本の連行用リブ４４の間に１本ずつ設ければ有利であって、この際、センタリング用リブ６０もまた、たがいに等間隔で配置されることができる。この場合、センタリング用リブ６０は、半径方向における内側に突出するセンタリング面６２を有し、キャップ１４をねじ込むときには、このセンタリング面がフィルタエレメント１８を、上側の端板４８の領域において、センタリングする。また、このセンタリング用リブは、軸方向における下方、すなわち、上側の端板４８を向いている接触面６４を有している。キャップ１４をねじ込むときには、この接触面は、キャップ１４を向いている端板４８に向かって作用して、フィルタエレメント１８を半径方向において下方に押す。
【００３８】
特に図１および図２から明らかなように、連行用リブ４４は、収容スペース１６の底部２０を向いている軸方向において、センタリング用リブ６０よりもさらに突出している。これによって、キャップ１４をかぶせてねじ込むときに、連行用リブ４４が導入案内部５６と協働し、センタリング用リブ６０は協働しない。
【００３９】
図５は動作ポジションを示している。このときには、連行用リブ４４は切り欠き４６に係合し、接触面６４は、半径方向において下方に向かって、フィルタエレメント１８を圧縮バネ３８のスプリング力に抗して押す。
【図面の簡単な説明】
【００４０】
【図１】本発明によるオイルフィルタモジュールの縦断面図である。
【図２】図１に示す領域ＩＩの拡大図である。
【図３】フィルタエレメントのうちのキャップ側の面を上から見た図である。
【図４】キャップを完全にねじ込んではいないときのフィルタエレメントの組み立て状態を示している。
【図５】キャップを完全にねじ込んだときの動作ポジションを示している。
【図１】
2009506882.tif 000003
【図２】
2009506882.tif 000004
【図３】
2009506882.tif 000005
【図４】
2009506882.tif 000006
【図５】
2009506882.tif 000007
【手続補正書】
【提出日】平成20年3月3日(2008.3.3)
【手続補正１】
【補正対象書類名】特許請求の範囲
【補正対象項目名】全文
【補正方法】変更
【補正の内容】
【特許請求の範囲】
【請求項１】
フィルタエレメント（１８）のための収容スペース（１６）を有するハウジング（１２）を備え、
このフィルタエレメントが上記ハウジング（１２）に挿入可能であって、このフィルタエレメントを半径方向にオイルが貫流可能であり、
上記フィルタエレメント（１８）が挿入されているときにこのフィルタエレメント（１８）を支持する支持管（４２）と、ネジ（１５）でもって上記ハウジング（１２）にねじ込み可能なキャップ（１４）とをさらに備え、
この際、上記キャップ（１４）を上記ハウジング（１２）にねじ込むとき、または、上記ハウジング（１２）から取り外すときに、上記フィルタエレメント（１８）を一緒に回すために、上記キャップが連行用のリブ（４４）を備えているオイルフィルタシステムにおいて、
上記支持管（４２）が、上記フィルタエレメント（１８）の上側および下側の端部がある領域に、上記フィルタエレメント（１８）を密着して取り付けるための取り付け面を備え、
上記フィルタエレメント（１８）の交換時には上記支持管が上記ハウジング内に残るように、上記支持管（４２）が上記ハウジング（１２）に固定され、
そして、上記フィルタエレメント（１８）が挿入されかつ上記キャップ（１４）がねじ込まれているときに、上記フィルタエレメント（１８）を上記キャップ（１４）に向かって押すスプリングエレメント（３８）が設けられていることを特徴とするオイルフィルタシステム（１０）。
【請求項２】
上記連行用リブ（４４）が、上記キャップの内側における半径方向の外側寄りの領域に設けられかつ半径方向における内側に突出する連行部分（５０）をそれぞれ１つずつ有し、
上記フィルタエレメント（１８）が挿入されているときには、上記連行部分が、このフィルタエレメント（１８）に設けられた切り欠き（４６）に係合することを特徴とする、請求項１に記載のオイルフィルタシステム（１０）。
【請求項３】
半径方向における内側に突出するセンタリング面（６２）を上記キャップの内側における半径方向の外側寄りの領域に有するセンタリング用のリブ（６０）を備え、
上記センタリング用のリブが、上記キャップをかぶせることおよび／またはねじ込むことが行われたときに、上記フィルタエレメント（１８）のうちの上記キャップ（１４）側の面（４８）を半径方向にセンタリングすることを特徴とする、請求項１または２に記載のオイルフィルタシステム（１０）。
【請求項４】
上記センタリング用リブ（６０）が、軸方向における下方に突出する接触面（６４）を有し、
上記キャップ(１４)をかぶせることおよび／またはねじ込むことが行われたときに、上記接触面が、上記フィルタエレメント（１８）のうちの上記キャップ側の面（４８）を押すことを特徴とする、請求項３に記載のオイルフィルタシステム（１０）。
【請求項５】
上記センタリング用リブの上記センタリング面（６２）と上記接触面（６４）とが、互いに隣接して設けられていることを特徴とする、請求項３または４に記載のオイルフィルタシステム（１０）。
【請求項６】
上記連行用リブ（４４）が、上記センタリング用リブ（６０）を構成し、そして、上記センタリング面（６２）および／または上記接触面（６４）をそれぞれ１つずつ有していることを特徴とする、請求項３、４または５に記載のオイルフィルタシステム（１０）。
【請求項７】
上記キャップ（１４）がかぶせられているときには、上記連行用リブ（４４）が、上記センタリング用リブ（６０）よりも、上記収容スペース（１６）の底部を向いている軸方向（３８）にさらに突出することを特徴とする、請求項３、４、５または６に記載のオイルフィルタシステム（１０）。
【請求項８】
上記支持管（４２）であるか、あるいは、上記支持管または上記ハウジング（１２）に案内される部分（３４）であるかが、上記フィルタエレメント（１８）のうちの上記キャップとは反対側にある面（４３）と接触するための接触面（４０）を有していることを特徴とする、請求項１〜７のうちのいずれか一項に記載のオイルフィルタシステム（１０）。
【請求項９】
請求項１０〜１２のうちのいずれか一項に記載のフィルタエレメント（１８）を備えている、請求項１〜８のうちのいずれか一項に記載のオイルフィルタシステム（１０）。
【請求項１０】
上記オイルフィルタシステムの上記キャップ（１４）に設けられた連行用リブ（４４）を受ける切り欠き（４６）を備え、
この際、上記切り欠き（４６）の幅が、上記連行用リブ（４４）の幅に等しいか、または、それよりもわずかに広く構成され、
この際、軸方向に突出する導入案内部（５６）が上記切り欠き（４６）の領域に設けられ、
上記導入案内部が、上記切り欠き（４６）の軸方向における延長上に位置する導入案内面（５８）を有することによって、上記キャップ（１４）をねじ込むときに、連行用リブ（４４）がこれに対応している上記切り欠き（４６）に上記導入案内面（５８）によって案内される、請求項１〜９のうちのいずれか一項に記載のオイルフィルタシステム（１０）に用いるフィルタエレメント（１８）。
【請求項１１】
切り欠き（４６）が、半径方向に突出する２つずつの突出部（５４）によってそれぞれ構成されていることを特徴とする、請求項１０に記載のフィルタエレメント（１８）。
【請求項１２】
上記突出部（５４）および／または上記導入案内部（５６）が、上記フィルタエレメント（１８）の端板（４８）によって構成されていることを特徴とする、請求項１０または１１に記載のフィルタエレメント（１８）。
【手続補正２】
【補正対象書類名】明細書
【補正対象項目名】０００６
【補正方法】変更
【補正の内容】
【０００６】
この課題は、請求項１に記載したオイルフィルタシステムによって解決される。すなわち、キャップをハウジングにねじ込むとき、および、取り外すときに、フィルタエレメントを回転させる連行用のリブをキャップに設けることである。これによって、キャップをねじ込むとき、および、取り外すときに、ハウジングに対するフィルタエレメントの相対的な運動が得られる。そして、ハウジングまたはハウジング側の部品にこびりついたフィルタエレメントが、分離される。
【手続補正３】
【補正対象書類名】明細書
【補正対象項目名】０００７
【補正方法】変更
【補正の内容】
【０００７】
この場合、支持管は、フィルタエレメントの交換時には支持管がハウジング内に残るように、ハウジングに固定されている。このためには、支持管をハウジングに、特には、ラッチ固定、ネジ固定および／または差し込み式固定および／または分離不能に、固定することができる。ラッチ固定の場合には、相応のラッチ手段を設けなければならない。ネジ固定の場合には、相応のネジおよび／またはボルトを設けなければならない。差し込み式固定の場合には、まず、支持管をその長手軸に沿って収容スペースに挿入し、つぎに、この長手軸を中心にしてねじって、このために設けられたほぼ鍵穴状の後隔離部分によって固定する。
【国際調査報告】
2009506882.tif 000008
2009506882.tif 000009
2009506882.tif 000010
2009506882.tif 000011